(57)【要約】【課題】  研修生や生徒などの行動を把握すること。【解決手段】  所定の課題の出題対象である団体を特定する１つの共通なマーク１３とともに、複数の地点に、少なくともサーバ装置３にアクセスするためのアクセス情報がコード化された複数の二次元コードパターン１２を設置する。サーバ装置３は、ネットワーク４を介して携帯端末２と通信し、携帯端末２からの二次元コードパターン１２のデコードに基づく送信要求の受信に基づいて、所定の課題の表示データもしくはその所定の課題に関連する情報の表示データ７８を携帯端末２へ送信する。【選択図】  図２
2006195787.tif 000002
【特許請求の範囲】
【請求項１】
ネットワークを介して携帯端末と通信する通信手段と、
史跡、建造物、その他の街に現存する物体に関する所定の課題またはその課題に関連する情報を上記携帯端末に表示させる表示データを、複数記憶する表示データ記憶手段と、
上記街に現存する物体あるいはその近傍に設置された二次元コードパターンをデコードして得られたアクセス情報に基づく上記携帯端末からの送信要求を上記通信手段が受信した場合、上記表示データ記憶手段に記憶されている上記所定の課題またはその課題に関連する情報の表示データを上記通信手段に送信させる送信制御手段と、
時刻を計測する時計手段と、
上記送信要求を送信した上記携帯端末の識別情報、上記送信要求がなされた時刻、および上記送信要求がなされた上記街に現存する物体を特定するための履歴情報を関連付けて、上記送信要求単位で記憶する履歴記憶手段と、
上記履歴記憶手段における上記履歴情報に基づいて、上記送信要求を送信した携帯端末による、上記街に現存する複数の物体の通過順の表示データを生成する通過順生成手段と、
を有することを特徴とするサーバ装置。
【請求項２】
ネットワークを介して携帯端末と通信する通信手段と、
複数の通過地点の通過順を上記携帯端末に表示させる表示データを、複数記憶する表示データ記憶手段と、
二次元コードパターンをデコードして得られたアクセス情報に基づく上記携帯端末からの送信要求を上記通信手段が受信した場合、上記表示データ記憶手段に記憶されている上記所定の通過順の表示データを上記通信手段に送信させる送信制御手段と、
時刻を計測する時計手段と、
上記送信要求を送信した上記携帯端末の識別情報、上記送信要求がなされた時刻、および上記送信要求がなされた上記通過地点を特定するための履歴情報を関連付けて、関連付けて上記送信要求単位で記憶する履歴記憶手段と、
上記履歴記憶手段における上記履歴情報に基づいて、上記送信要求を送信した携帯端末による、上記複数の設置地点の通過順の表示データを生成する通過順生成手段と、
を有することを特徴とするサーバ装置。
【請求項３】
前記時計手段により計測される時刻が所定の終了時刻を経過した場合、もしくは、前記時計手段により計測される時刻に基づき所定の時間が経過した場合、前記履歴情報に基づいて、前記街に現存する複数の物体もしくは前記二次元コードパターンの複数の設置地点のすべての地点を通過していない前記携帯端末を特定し、その特定した携帯端末による通過順を前記通過順生成手段に生成させる未完端末特定手段を有することを特徴とする請求項１または２記載のサーバ装置。
【請求項４】
前記履歴情報に基づいて、前記送信要求がなされた最新の時刻から所定の時間が経過した携帯端末を特定し、その携帯端末による通過順を前記通過順生成手段に生成させる迷子端末特定手段を有することを特徴とする請求項１または２記載のサーバ装置。
【請求項５】
前記時計手段により計測される時刻が所定の終了時刻を経過した場合、もしくは、前記時計手段により計測される時刻に基づいて所定の時間が経過した場合、前記履歴情報に基づいて複数の前記携帯端末に関する情報を所定の基準に基づく成績順に並べた表示データを生成する成績生成手段を有し、
前記表示手段は、上記成績生成手段により生成された表示データに基づき、前記携帯端末に関する情報を所定の表示画面に表示させること、
を特徴とする請求項１または２記載のサーバ装置。
【請求項６】
前記表示データ記憶手段は、１つの二次元コードパターンに対応する表示データを複数記憶し、
前記送信制御手段は、前記通信手段が受信した送信要求に基づいて携帯端末、携帯端末の種類およびキャリアのうちの少なくとも１つを特定し、その特定に応じて前記表示データ記憶手段に記憶される上記複数の表示データの中から１つの表示データを選択し、その選択した表示データを前記通信手段に送信させること、
を特徴とする請求項１または２記載のサーバ装置。
【請求項７】
前記送信制御手段は、前記通信手段が受信した送信要求に基づいて、その送信要求がなされた地点を特定し、その地点に応じた最寄りの警察署、緊急連絡先、その他の周辺情報を表示する表示データを前記通信手段に送信させることを特徴とする請求項１または２記載のサーバ装置。
【請求項８】
所定の課題の出題対象である団体を特定するマークと、
携帯端末からのアクセスに基づいて上記所定の課題に関連する情報の表示データをその携帯端末へ送信するとともにそのアクセスの履歴を蓄積するサーバ装置にアクセスするためのアクセス情報が、上記所定の課題の表示データとともにコード化された、携帯端末によりデコード可能な二次元コードパターンと、
を有することを特徴とする二次元コードを有するシート。
【請求項９】
所定の課題の出題対象である団体を特定するマークと、
携帯端末からのアクセスに基づいて上記所定の課題の表示データをその携帯端末へ送信するとともにそのアクセスの履歴を蓄積するサーバ装置にアクセスするためのアクセス情報がコード化された、携帯端末によりデコード可能な二次元コードパターンと、
を有することを特徴とする二次元コードを有するシート。
【請求項１０】
所定の団体を特定するマークと、
携帯端末からのアクセスに基づいて、複数の通過地点の通過順を上記携帯端末に表示させる表示データをその携帯端末へ送信するとともにそのアクセスの履歴を蓄積するサーバ装置にアクセスするためのアクセス情報がコード化された、携帯端末によりデコード可能な二次元コードパターンと、
を有することを特徴とする二次元コードを有するシート。
【請求項１１】
ネットワークを介して携帯端末と通信し、上記携帯端末からの送信要求の受信に基づいて、所定の課題の表示データもしくはその所定の課題に関連する情報の表示データを上記携帯端末へ送信する請求項１記載のサーバ装置と、
上記所定の課題の出題対象である団体を特定する１つの共通なマークとともに複数の地点に設置され、少なくとも上記サーバ装置にアクセスするためのアクセス情報がコード化された複数の二次元コードパターンと、
を有することを特徴とする研修システム。
【請求項１２】
ネットワークを介して携帯端末と通信し、上記携帯端末からの送信要求の受信に基づいて、複数の通過地点の通過順を上記携帯端末に表示させる表示データを上記携帯端末へ送信する請求項２記載のサーバ装置と、
所定の団体を特定する１つの共通なマークとともに複数の地点に設置され、少なくとも上記サーバ装置にアクセスするためのアクセス情報がコード化された複数の二次元コードパターンと、
を有することを特徴とする研修システム。
【請求項１３】
前記サーバ装置は、設置された前記二次元コードパターンが携帯端末によりデコードできない場合に、前記二次元コードパターンにコード化されているデータを、電子メールとして前記携帯端末へ送信することを特徴とする請求項１１または１２記載の研修システム。
【発明の詳細な説明】
【技術分野】
【０００１】
本発明は、サーバ装置、二次元コードを有するシートおよび研修システムに関する。
【背景技術】
【０００２】
特許文献１は、 ＧＰＳ電波を携帯端末で受信し、それに基づく位置情報を第三者に送信するシステムを開示する。
【０００３】
【特許文献１】特開２００４−３２０７９８号公報（要約、特許請求の範囲、発明の詳細な説明、図面など）
【発明の開示】
【発明が解決しようとする課題】
【０００４】
会社の新入社員の研修などでは、教科書を用いて講師が説明をする一般的な研修のほかに、街中や大きな商業施設の中などのオープンなスペースを用いて、自主的に活動させたりする研修をすることがある。また、学生の修学旅行などにおいては、数人単位でグループを組み、その組み毎に自由に地域を見学させることがある。
【０００５】
しかしながら、このようにオープンなスペースを用いて研修や学習研究を実施する場合、必ずといっていいほど、迷子となる人が出てくる。迷子がでると、研修の管理者や先生などは、その迷子を探し回るために奔走しなければならない。研修の管理者や先生などは、その迷子を当て所もなく探し回ることになり、とても大変である。また、オープンなスペースを用いて研修や学習研究の後に他のスケジュールが組まれている場合には、その迷子を探し回るために、当該後のスケジュールを実施することができなくなってしまう可能性もありえる。
【０００６】
そこで、特許文献１にあるようなＧＰＳ電波を受信可能な携帯端末を、新入社員や学生などにたとえばグループ単位で持たせ、その位置情報を定期的に研修の管理者や先生などへ連絡させることが考えられる。
【０００７】
しかしながら、ＧＰＳ電波のみによる位置情報は、自動車の道路上のおおまかな位置を特定する精度を有するものの、歩行者の所在地を正しく特定できる精度とはなっていない。たとえば、細かい路地内の所在地を正しく特定することは難しい。そのため、新入社員や学生などが、その所定の地点の付近で迷っているのか、その所定の地点を通過して次の地点に向っているのかを区別することは難しい。研修の管理者や先生などは、必ずしも、新入社員や学生などの状況を正しく把握することができない。
【０００８】
また、ＧＰＳ電波のみによる位置情報は、その電波を受信した時刻での新入社員や学生など地点を示す緯度経度による位置情報である。したがって、研修の管理者や先生などは、新入社員や学生などの位置を把握しようとする場合、たとえば連絡された緯度経度による位置情報を地図上にマッピングしなければならない。新入社員や学生などがどこへ向っているのかを把握するためには、さらに、数次に渡る緯度経度による位置情報をマッピングしなければならない。
【０００９】
また、ＧＰＳ電波が届かない建物の中や路地や地下道などにおいては、携帯端末は、位置情報を得ることができない。このような場合、新入社員や学生などは、携帯端末が位置情報を得ることができるように、ＧＰＳ電波が届く屋外へ出なければならない。新入社員や学生などに定期的にこのような作業をさせるのは、面倒である。その結果、新入社員や学生などの状況を把握するために十分な情報が得られなくなる可能性が生じる。
【００１０】
また、電話などで口頭にてＧＰＳ電波による位置情報を連絡する場合、それらの連絡を取り合う人は定期的に連絡しなければならない。その電話をかける人もその電話を受ける人も忙しく面倒である。その結果、新入社員や学生などから、その人の状況を把握するために十分な情報が得られなくなる可能性が生じる。
【００１１】
以上のように、ＧＰＳ電波を受信する携帯端末を研修生や生徒などに持たせたとしても、研修生や生徒などの状況を把握することは難しい。その結果、研修や学習研究をとどこおりなく進めて終了させることは難しい。
【００１２】
本発明は、以上の問題に鑑みなされたものであり、研修生や生徒などの行動を把握することができるサーバ装置、二次元コードを有するシートおよび研修システムを得ることを目的とする。
【課題を解決するための手段】
【００１３】
本発明に係る第一のサーバ装置は、ネットワークを介して携帯端末と通信する通信手段と、史跡、建造物、その他の街に現存する物体に関する所定の課題またはその課題に関連する情報を携帯端末に表示させる表示データを、複数記憶する表示データ記憶手段と、街に現存する物体あるいはその近傍に設置された二次元コードパターンをデコードして得られたアクセス情報に基づく携帯端末からの送信要求を通信手段が受信した場合、表示データ記憶手段に記憶されている所定の課題またはその課題に関連する情報の表示データを通信手段に送信させる送信制御手段と、時刻を計測する時計手段と、送信要求を送信した携帯端末の識別情報、送信要求がなされた時刻、および送信要求がなされた街に現存する物体を特定するための履歴情報を関連付けて、送信要求単位で記憶する履歴記憶手段と、履歴記憶手段における履歴情報に基づいて、送信要求を送信した携帯端末による、街に現存する複数の物体の通過順の表示データを生成する通過順生成手段と、を有するものである。
【００１４】
この構成を採用すれば、サーバ装置は、所定の課題またはその課題に関連する情報を取得するための携帯端末のアクセス履歴に基づいて、街に現存する複数の物体の地点の通過状況を表示する。したがって、サーバ装置の使用者などは、携帯端末のユーザが、街に現存する複数の物体の地点のどのあたりを通過しているのかといったその行動を容易に把握することができる。
【００１５】
本発明に係る第二のサーバ装置は、ネットワークを介して携帯端末と通信する通信手段と、複数の通過地点の通過順を携帯端末に表示させる表示データを、複数記憶する表示データ記憶手段と、二次元コードパターンをデコードして得られたアクセス情報に基づく携帯端末からの送信要求を通信手段が受信した場合、表示データ記憶手段に記憶されている所定の通過順の表示データを通信手段に送信させる送信制御手段と、時刻を計測する時計手段と、送信要求を送信した携帯端末の識別情報、送信要求がなされた時刻、および送信要求がなされた通過地点を特定するための履歴情報を関連付けて、関連付けて送信要求単位で記憶する履歴記憶手段と、履歴記憶手段における履歴情報に基づいて、送信要求を送信した携帯端末による、複数の設置地点の通過順の表示データを生成する通過順生成手段と、を有するものである。
【００１６】
この構成を採用すれば、サーバ装置は、通過順を確認するための携帯端末のアクセス履歴に基づいて、二次元コードパターンが設置されている複数の設置地点の通過状況を表示する。したがって、サーバ装置の使用者などは、携帯端末のユーザが、複数の設置地点のどのあたりを通過しているのかといったその行動を容易に把握することができる。
【００１７】
本発明に係る他のサーバ装置は、上述した各発明の構成に加えて、時計手段により計測される時刻が所定の終了時刻を経過した場合、もしくは、時計手段により計測される時刻に基づき所定の時間が経過した場合、履歴情報に基づいて、街に現存する複数の物体もしくは二次元コードパターンの複数の設置地点のすべての地点を通過していない携帯端末を特定し、その特定した携帯端末による通過順を通過順生成手段に生成させる未完端末特定手段を有するものである。
【００１８】
この構成を採用すれば、サーバ装置は、所定の時刻あるいは所定の経過時間の後に、すべての地点を通過していない携帯端末に関する情報を表示する。したがって、サーバ装置の使用者などは、迷子となって最後まで回っていない携帯端末のユーザを容易に把握することができる。しかも、その迷子となっている人が既に通過した経路に関する情報の表示に基づいて、その迷子となっている人の行動を把握することができる。
【００１９】
本発明に係る他のサーバ装置は、上述した各発明の構成に加えて、履歴情報に基づいて、送信要求がなされた最新の時刻から所定の時間が経過した携帯端末を特定し、その携帯端末による通過順を通過順生成手段に生成させる迷子端末特定手段を有するものである。
【００２０】
この構成を採用すれば、サーバ装置は、所定の時間にわたってサーバ装置にアクセスしてこない携帯端末に関する情報を表示する。したがって、サーバ装置の使用者などは、複数の地点を回る途中において迷子となっている携帯端末のユーザを容易に把握することができる。しかも、その迷子となっている人が既に通過した経路に関する情報の表示に基づいて、その迷子となっている人の行動を把握することができる。
【００２１】
本発明に係る他のサーバ装置は、上述した各発明の構成に加えて、時計手段により計測される時刻が所定の終了時刻を経過した場合、もしくは、時計手段により計測される時刻に基づいて所定の時間が経過した場合、履歴情報に基づいて複数の携帯端末に関する情報を所定の基準に基づく成績順に並べた表示データを生成する成績生成手段を有し、表示手段が、成績生成手段により生成された表示データに基づき、携帯端末に関する情報を所定の表示画面に表示させるものである。
【００２２】
この構成を採用すれば、サーバ装置は、所定の時刻あるいは所定の経過時間の後に、携帯端末に関する情報を成績順に表示する。したがって、サーバ装置の使用者などは、複数の携帯端末のユーザの成績を容易に把握することができる。
【００２３】
本発明に係る他のサーバ装置は、上述した各発明の構成に加えて、表示データ記憶手段が、１つの二次元コードパターンに対応する表示データを複数記憶し、送信制御手段は、通信手段が受信した送信要求に基づいて携帯端末、携帯端末の種類およびキャリアのうちの少なくとも１つを特定し、その特定に応じて表示データ記憶手段に記憶される複数の表示データの中から１つの表示データを選択し、その選択した表示データを通信手段に送信させるものである。
【００２４】
この構成を採用すれば、サーバ装置は、携帯端末、携帯端末の種類、携帯端末の通信キャリアに応じて異なる課題もしくは課題に関する情報を提供する。したがって、携帯端末のユーザは、たとえば近くにいる他の携帯端末のユーザの回答もしくは他の種類の携帯端末のユーザの回答などを参照して課題に取り組むことができなくなる。また、同一の二次元コードパターンを使用して、異なる課題を提供することが可能となる。
【００２５】
本発明に係る他のサーバ装置は、上述した各発明の構成に加えて、送信制御手段が、通信手段が受信した送信要求に基づいて、その送信要求がなされた地点を特定し、その地点に応じた最寄りの警察署、緊急連絡先、その他の周辺情報を表示する表示データを通信手段に送信させるものである。
【００２６】
この構成を採用すれば、携帯端末は、二次元コードパターンが設置される地点毎に、その地点の周辺情報を表示する。したがって、携帯端末のユーザは、自分がいる地点において何らかの問題が生じた場合に、その周辺情報を参照して、警察署、緊急連絡先、その他に連絡をしたりすることができる。したがって、携帯端末のユーザは、見知らぬ土地であったとしても安心して複数の地点を回ることができる。
【００２７】
本発明に係る第一の二次元コードを有するシートは、所定の課題の出題対象である団体を特定するマークと、携帯端末からのアクセスに基づいて所定の課題に関連する情報の表示データをその携帯端末へ送信するとともにそのアクセスの履歴を蓄積するサーバ装置にアクセスするためのアクセス情報が、所定の課題の表示データとともにコード化された、携帯端末によりデコード可能な二次元コードパターンと、を有するものである。
【００２８】
この構成を採用すれば、団体の人は、シートにあるマークに基づいてそのシートが課題を得るためのシートであることを認識し、携帯端末を使用して所定の課題に関連する情報を取得するために二次元コードをデコードしてサーバ装置にアクセスする。したがって、サーバ装置の使用者などは、サーバ装置に蓄積されているアクセス履歴に基づいて、携帯端末のユーザが、シートを設置した地点を通過しているのか否かを把握することができる。
【００２９】
本発明に係る第二の二次元コードを有するシートは、所定の課題の出題対象である団体を特定するマークと、携帯端末からのアクセスに基づいて所定の課題の表示データをその携帯端末へ送信するとともにそのアクセスの履歴を蓄積するサーバ装置にアクセスするためのアクセス情報がコード化された、携帯端末によりデコード可能な二次元コードパターンと、を有するものである。
【００３０】
この構成を採用すれば、団体の人は、シートにあるマークに基づいてそのシートが課題を得るためのシートであることを認識し、携帯端末を使用して所定の課題を取得するために二次元コードをデコードしてサーバ装置にアクセスする。したがって、サーバ装置の使用者などは、サーバ装置に蓄積されているアクセス履歴に基づいて、携帯端末のユーザが、シートを設置した地点を通過しているのか否かを把握することができる。
【００３１】
本発明に係る第三の二次元コードを有するシートは、所定の団体を特定するマークと、携帯端末からのアクセスに基づいて、複数の通過地点の通過順を携帯端末に表示させる表示データをその携帯端末へ送信するとともにそのアクセスの履歴を蓄積するサーバ装置にアクセスするためのアクセス情報がコード化された、携帯端末によりデコード可能な二次元コードパターンと、を有するものである。
【００３２】
この構成を採用すれば、団体の人は、シートにあるマークに基づいてそのシートが通過順を確認するためのシートであることを認識し、携帯端末を使用して通過順を確認するために二次元コードをデコードしてサーバ装置にアクセスする。したがって、サーバ装置の使用者などは、サーバ装置に蓄積されているアクセス履歴に基づいて、携帯端末のユーザが、シートを設置した地点を通過しているのか否かを把握することができる。
【００３３】
本発明に係る第一の研修システムは、ネットワークを介して携帯端末と通信し、携帯端末からの送信要求の受信に基づいて、所定の課題の表示データもしくはその所定の課題に関連する情報の表示データを携帯端末へ送信する上述した第一のサーバ装置と、所定の課題の出題対象である団体を特定する１つの共通なマークとともに複数の地点に設置され、少なくともサーバ装置にアクセスするためのアクセス情報がコード化された複数の二次元コードパターンと、を有するものである。
【００３４】
この構成を採用すれば、サーバ装置は、所定の課題を取得するための携帯端末のアクセス履歴に基づいて、携帯端末のユーザが複数の二次元コードパターンの設置地点を通過したかを表示する。したがって、サーバ装置の使用者などは、携帯端末のユーザが、二次元コードパターンを設置した複数の地点のどのあたりを通過しているのかを容易に把握することができる。
【００３５】
本発明に係る第二の研修システムは、ネットワークを介して携帯端末と通信し、携帯端末からの送信要求の受信に基づいて、複数の通過地点の通過順を携帯端末に表示させる表示データを携帯端末へ送信する上述した第二のサーバ装置と、所定の団体を特定する１つの共通なマークとともに複数の地点に設置され、少なくともサーバ装置にアクセスするためのアクセス情報がコード化された複数の二次元コードパターンと、を有するものである。
【００３６】
この構成を採用すれば、サーバ装置は、通過順の確認のための携帯端末のアクセス履歴に基づいて、携帯端末のユーザが複数の二次元コードパターンの設置地点を通過したかを表示する。したがって、サーバ装置の使用者などは、携帯端末のユーザが、二次元コードパターンを設置した複数の地点のどのあたりを通過しているのかを容易に把握することができる。
【００３７】
本発明に係る上述した各研修システムは、上述した各発明の構成に加えて、サーバ装置が、設置された二次元コードパターンが携帯端末によりデコードできない場合に、二次元コードパターンにコード化されているデータを、電子メールとして携帯端末へ送信するものである。
【００３８】
この構成を採用すれば、携帯端末のユーザは、たとえば、二次元コードパターンが汚れていてそれをデコードすることができない場合であっても、その二次元コードパターンにコード化されているデータを当該携帯端末に表示し、課題に取り組むことができる。二次元コードパターンのデコードができない場合であっても、ユーザは、中断することなく続けて回ることができる。
【発明の効果】
【００３９】
本発明では、研修生や生徒などの行動を把握することができる。
【発明を実施するための最良の形態】
【００４０】
以下、本発明の実施の形態に係るサーバ装置、シートおよび研修システムを、図面に基づいて説明する。以下の各実施の形態では、二次元コードがＱＲ（Ｑｕｉｃｋ  Ｒｅｓｐｏｎｓｅ）コードである場合を例として説明する。なお、ＱＲコードは登録商標である。
【００４１】
実施の形態１．
本発明の実施の形態１に係る研修システムは、二次元コードを有するシートとしてのＱＲコードを有する複数のシートと、ＱＲコードパターンを読み取る携帯端末としての複数台の携帯電話端末と、サーバ装置と、携帯電話端末とサーバ装置との間のデータ通信に使用されるネットワークとしての通信ネットワークと、を有する。この研修システムは、ある観光地を修学旅行で訪れている所定の学校の生徒に、その観光地に現存する物体としての史跡をグループ単位で学習研究させるためのものである。
【００４２】
図１は、本発明の実施の形態１に係るＱＲコードを有するシート１を示す正面図である。図２は、本発明の実施の形態１に係る携帯電話端末２，２Ａ、サーバ装置３および通信ネットワーク４を示すシステム構成図である。カメラ付きの携帯電話端末２は、各生徒のグループにより使用される。携帯電話端末２Ａは、その学校の引率の先生により使用される。
【００４３】
ＱＲコードを有するシート１は、たとえば塩化ビニル製の白色のマット材１１を有する。塩化ビニルは、プラスチックの一種である。マット材１１の表面には、二次元コードパターンとしてのＱＲコードパターン１２と、課題の出題対象である学校の生徒が認識可能なマークとしてのマーク１３とが並べて印刷される。
【００４４】
塩化ビニル製の白色のマット材１１にＱＲコードパターン１２およびマーク１３を印刷するためには、たとえば油性インクを吐出するインクジェット印刷機を用いればよい。また、この油性インクを付着した後に、マット材１１の表面にポリプロピレンなどの透明な材料によるコーティング剤を塗布するとよい。これにより、マット材１１の表面に自動車のタイヤが乗り上げ、印刷面がタイヤにより擦られたとしても、印刷がかすれたりはがれたりし難くなる。屋外において、数年の使用に耐えられるようになる。
【００４５】
このように塩化ビニル製のマット材１１の表面にＱＲコードパターン１２およびマーク１３を印刷するようにすることで、ＱＲコードパターン１２およびマーク１３は、一辺がたとえば１〜２ｍの長さに形成することができる。一辺が１〜２ｍの大きさでＱＲコードパターン１２を形成することで、数ｍ離れた位置から、カメラ付きの携帯電話端末２によって読み取ることが可能となる。また、ＱＲコードパターン１２は、そのような条件での読み取りにおいてもデコード可能な精度に形成することができる。
【００４６】
ＱＲコードパターン１２は、データをＱＲコードによりコード化することで得られるパターンである。ＱＲコードは、ＩＳＯ（Ｉｎｔｅｒｎａｔｉｏｎａｌ  Ｏｒｇａｎｉｚａｔｉｏｎ  Ｆｏｒ  Ｓｔａｎｄａｒｄｉｚａｔｉｏｎ）／ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）として規格化されている。このＱＲコードパターン１２には、サーバ装置３のＵＲＬ（Ｕｎｉｆｏｒｍ  Ｒｅｓｏｕｒｃｅ  Ｌｏｃａｔｏｒ）を含む所定のアクセス情報と、所定の課題の表示データとがコード化されている。
【００４７】
ＱＲコードパターン１２と並べて印刷されるマーク１３は、修学旅行で街を訪れている所定の学校の校章である。学校の校章をＱＲコードパターン１２と並べることで、その学校の生徒は、そのＱＲコードパターン１２が自分達に対する課題がコード化されているものであることを容易に認識することができる。マーク１３として印刷されている校章の学校の生徒は、ＱＲコードパターン１２をデコードする前に、そのＱＲコードパターン１２が自分達に向けた情報がコード化されているものであることを認識することができる。
【００４８】
図３は、図１中のＱＲコードを有するシート１の設置状態の一例を示す説明図である。ＱＲコードを有するシート１は、たとえば観光地の史跡２１に隣接して設けられる史跡２１の案内板２２に貼着される。案内板２２は、その史跡２１に関する歴史や言い伝えを解説するものである。
【００４９】
案内板２２に貼着されるシート１は、たとえば縦３０ｃｍ×横６０ｃｍの大きさを有する。このようなサイズでＱＲコードパターン１２を形成することで、史跡２１の案内板２２から１〜１．５ｍ程度離れた位置から、カメラ付きの携帯電話端末２によって読み取ることが可能となる。複数の生徒などが同時に、カメラ付きの携帯電話端末２によって読み取ることが可能となる。
【００５０】
また、シート１は、そのＱＲコードパターン１２がマーク１３の左側となる姿勢で設置される。このような姿勢で設置することで、たとえば１つの史跡２１に対して複数の学校向けに複数のＱＲコードパターン１２を設置する場合であっても、各学校の生徒は、自分の学校の校章の左側にあるＱＲコードパターン１２が自分達向けのものであることを自然に認識することができる。
【００５１】
図４は、実施の形態１に係るＱＲコードを有する複数のシート１の設置状態の一例を示す説明図である。ＱＲコードを有する複数のシート１は、観光地に存在する複数の史跡２１にそれぞれ設置される。図４では、３つの史跡２１それぞれに対応付けて、１つのシート１が割り当てられている。なお、１つの史跡２１に対して、同一のマーク１３を有する複数のシート１を設置してもよい。また、異なるマーク１３を有するシート１を設置してもよい。
【００５２】
ところで、ＱＲコードパターン１２にコード化されるアクセス情報および課題の表示データは、原則、シート１毎に異なるものである。但し、課題の表示データは、ある１つの史跡２１に設置される複数のシート１において共通するものであってもよい。ＱＲコードパターン１２にコード化するアクセス情報を互いに異なるものとすることで、アクセス情報は、それが設置される史跡２１と、それが形成されたシート１（すなわち学校）とを特定するための情報として利用することが可能となる。
【００５３】
また、図２において通信ネットワーク４は、インターネット３１およびＡＴＭ（Ａｓｙｎｃｈｒｏｎｏｕｓ  Ｔｒａｎｓｆｅｒ  Ｍｏｄｅ）通信網３２で構成されるネットワークと、このＡＴＭ通信網３２に接続される複数の基地局３３と、を有する。基地局３３は、そのゾーン内に存在する携帯電話端末２，２Ａとの間でデータ通信回線を確立し、そのデータ通信回線を用いて携帯電話端末２，２Ａとの間でデータを送受信する。複数の基地局３３は、ＱＲコードを有する複数のシート１の設置位置をそれらのゾーンに含む。
【００５４】
図５は、図２中の携帯電話端末２，２Ａのハードウェア構成を示すブロック図である。携帯電話端末２，２Ａは、中央処理装置（ＣＰＵ：Ｃｅｎｔｒａｌ  Ｐｒｏｃｅｓｓｉｎｇ  Ｕｎｉｔ）４１と、ＲＡＭ（Ｒａｎｄｏｍ  Ａｃｃｅｓｓ  Ｍｅｍｏｒｙ）４２と、半導体メモリ４３と、入出力ポート４４と、これらを接続するシステムバス４５と、を有する。入出力ポート４４には、通信ネットワーク４の基地局３３との間でデータを送受信する無線通信Ｉ／Ｆ（ＩｎｔｅｒＦａｃｅ）４６と、画像を撮像して出力するＣＣＤ（Ｃｈａｒｇｅ  Ｃｏｕｐｌｅｄ  Ｄｅｖｉｃｅ）カメラ４７と、テンキーなどを有する入力キー４８と、表示部に表示データに基づく画像を表示する液晶デバイス４９と、が接続される。
【００５５】
半導体メモリ４３は、通信制御プログラム５０と、デコードプログラム５１と、表示制御プログラム５２と、端末ＩＤ（Ｉｄｅｎｔｉｆｉｃａｔｉｏｎ）番号５３と、を記憶するフラッシュメモリなどの不揮発性メモリである。端末ＩＤ番号５３は、携帯電話端末２，２Ａ毎に固有の番号である。中央処理装置４１は、これらのプログラムを半導体メモリ４３からＲＡＭ４２に読み込んで実行する。中央処理装置４１が通信制御プログラム５０を実行することで、図６に示すように、通信制御部６１が実現される。中央処理装置４１がデコードプログラム５１を実行することで、図６に示すように、デコーダ６２が実現される。中央処理装置４１が表示制御プログラム５２を実行することで、図６に示すように、表示制御部６３が実現される。図６は、図２の通信システムにおいて実現される機能を示す機能ブロック図である。
【００５６】
この実施の形態１において、デコードプログラム５１などの半導体メモリ４３に記憶されるプログラムは、携帯電話端末２，２Ａの出荷時にその半導体メモリ４３に記憶されるものである。この他にもたとえば、半導体メモリ４３に記憶されるプログラムは、たとえばＣＤ（コンパクト・ディスク）−ＲＯＭ（リード・オンリー・メモリ）、ＤＶＤ（デジタル・バーサタイル・ディスク）−ＲＯＭなどのコンピュータ読み取り可能な記録媒体や、通信ネットワーク４などの伝送媒体を介して、携帯電話端末２，２Ａの出荷後に、半導体メモリ４３に保存されるものであってもよい。
【００５７】
通信制御部６１は、表示制御部６３によりデータの取得が要求された場合、データの送信要求を無線通信Ｉ／Ｆ４６に送信させる。通信制御部６１は、無線通信Ｉ／Ｆ４６が受信したデータをそのデータの取得を要求した表示制御部６３へ供給する。
【００５８】
デコーダ６２は、ＣＣＤカメラ４７が撮像した画像からＱＲコードパターン１２を抽出する。デコーダ６２は、抽出したＱＲコードパターン１２によるＱＲコードをデコードし、ＱＲコードにコード化されていたデータを復号する。
【００５９】
表示制御部６３は、表示データを生成し、液晶デバイス４９へ出力する。
【００６０】
図７は、図２中のサーバ装置３のハードウェア構成を示すブロック図である。サーバ装置３は、中央処理装置７１と、ＲＡＭ７２と、表示データ記憶手段および履歴記憶手段としての記憶デバイス７３と、通信ネットワーク４のインターネット３１に接続される通信手段としての通信Ｉ／Ｆ７４と、時刻を計測する時計手段としてのタイマ７６と、これらを接続するシステムバス７７と、を有する。
【００６１】
記憶デバイス７３は、課題に関する情報の表示データとしての複数の正解の表示データ７８と、対応テーブル７９と、データ送出制御プログラム８０と、履歴管理プログラム８１と、を記憶する。中央処理装置７１がデータ送出制御プログラム８０を記憶デバイス７３からＲＡＭ７２に読み込んで実行することで、サーバ装置３には、図６に示すように、送信制御手段としてのデータ送出制御部６６が実現される。中央処理装置７１が履歴管理プログラム８１を記憶デバイス７３からＲＡＭ７２に読み込んで実行することで、サーバ装置３には、図６に示すように、通過順生成手段、未完端末特定手段、迷子端末特定手段および成績生成手段としての履歴管理部６７が実現される。
【００６２】
正解の表示データ７８は、あるＱＲコードパターン１２にコード化された課題に対応する正解の表示データ７８である。正解の表示データ７８は、ＱＲコードパターン１２にコード化されたある課題の表示データと１対１に対応する。正解の表示データ７８は、たとえば課題の表示データにより複数の選択肢が表示される場合には、その中の正解の枝を表示するための表示データである。
【００６３】
対応テーブル７９は、ＱＲコードパターン１２にコード化される複数のアクセス情報と、そのＱＲコードパターン１２にコード化される課題に対応する正解の表示データ７８との対応関係を記憶するテーブルである。
【００６４】
図６におけるデータ送出制御部６６は、通信Ｉ／Ｆ７４がインターネット３１からデータの送信要求を受信すると、その要求を解釈する。データ送出制御部６６は、その解釈に基づいて記憶デバイス７３から要求に係るデータを読み込み、読み込んだデータを通信Ｉ／Ｆ７４に送信させる。また、データ送出制御部６６は、送信が指示されたデータを、その指示された携帯電話端末２，２Ａへ送信する。なお、データ送出制御部６６は、たとえばＨＴＴＰサーバとされ、送信要求は、ＨＴＴＰコマンドとされる。また、データは、ＨＴＭＬファイル、画像データファイルなどとされる。
【００６５】
また、履歴管理部６７は、通信Ｉ／Ｆ７４がインターネット３１からデータの送信要求を受信すると、その送信要求があったことを記憶デバイス７３に記憶させる。履歴管理部６７は、複数の送信要求の履歴からなる履歴データ６９を記憶デバイス７３に生成する。履歴データ６９において、複数の送信要求は、その要求単位のレコードとして記憶される。各レコードには、図９に基づいて後述するように、その送信要求をした携帯電話端末２，２Ａの端末ＩＤ番号５３と、タイマ７６により計測されたその送信要求の時刻と、その送信要求に含まれる受信データと、が記録される。受信データには、たとえば、アクセス情報、生徒による課題の回答などの情報が含まれる。また、履歴管理部６７は、タイマ７６により計測される時刻が所定の条件を満たす時刻となると、履歴データ６９に含まれる情報を用いて各種の表示データを生成し、データ送出制御部６６へ出力する。
【００６６】
次に、主に図６を参照しながら、以上の構成を有する研修システムの動作を説明する。
【００６７】
修学旅行で観光地を訪れている修学旅行生は、グループ単位で渡されたカメラ付きの携帯電話端末２を持って、図４に示す観光地の各地にある史跡２１を巡る。そして、生徒は、最初の史跡２１に到着し、図３に示すようにその史跡２１の横にある案内板２２に自分の学校の校章と、その横にあるＱＲコードパターン１２とを見つける。
【００６８】
１つ目の史跡２１に到着した生徒は、持参するカメラ付きの携帯電話端末２の入力キー４８を操作する。カメラ付きの携帯電話端末２の中央処理装置４１は、その入力キー４８の操作に基づいて、デコードプログラム５１を読み込んで実行する。これにより、カメラ付きの携帯電話端末２には、デコーダ６２が実現される。なお、以下の説明において、カメラ付きの携帯電話端末２では、表示制御部６３と通信制御部６１とが既に実現されているものとする。
【００６９】
デコーダ６２は、ＣＣＤカメラ４７が撮像した画像を、液晶デバイス４９に表示させる。デコーダ６２は、ＣＣＤカメラ４７が撮像した画像の中に、ＱＲコードパターン１２を認識すると、その画像からＱＲコードパターン１２を抽出する。したがって、カメラ付きの携帯電話端末２の液晶デバイス４９に史跡２１の案内板２２に設置されたＱＲコードパターン１２が写るように、生徒がカメラ付きの携帯電話端末２を構えることで、デコーダ６２は、史跡２１の案内板２２に設置されたＱＲコードパターン１２を抽出する。デコーダ６２は、抽出したＱＲコードパターン１２によるＱＲコードをデコードし、このＱＲコードにコード化されていたデータを復号する。これにより、デコーダ６２は、史跡２１の案内板２２に設置されたＱＲコードパターン１２にコード化されていた、サーバ装置３のアクセス情報（たとえばＵＲＬ）を復号する。デコーダ６２は、復号したアクセス情報を表示制御部６３へ供給する。
【００７０】
ＱＲコードパターン１２からデコードされたサーバ装置３へのアクセス情報が供給されると、表示制御部６３は、ＱＲコードパターン１２にコード化されていた所定の課題の表示データを、液晶デバイス４９へ出力する。液晶デバイス４９は、その所定の課題の表示データを表示部に表示する。これにより、カメラ付きの携帯電話端末２の液晶デバイス４９には、ＱＲコードパターン１２にコード化されていた所定の課題が表示される。
【００７１】
図８は、図６中の液晶デバイス４９に表示される課題の表示画面の一例を示す説明図である。図８では、史跡２１が建てられた年を、３つの選択肢の中から正解を探す課題が表示されている。
【００７２】
カメラ付きの携帯電話端末２を使用する生徒は、液晶デバイス４９に表示される課題を理解し、史跡２１そのもの、史跡２１の案内板２２に記載されている事柄などを学習し、課題の答えを探求する。そして、たとえば、所定の課題の表示データにおいて、回答が選択番号とともにならべて表示されている場合に、その番号の入力キー４８を操作する。入力キー４８は、その操作されたキーに対応する入力指示を表示制御部６３へ出力する。表示制御部６３は、入力キー４８からの入力指示に基づいて、その番号の選択肢を選択する。
【００７３】
このように所定の課題に対応する回答を生成すると、表示制御部６３は、そのアクセス情報に含まれるサーバ装置３のＵＲＬ（サーバ装置３内のコンテンツを指すＵＲＬ）を指定して、通信制御部６１にデータの取得を指示する。通信制御部６１は、サーバ装置３を送信先に指定したデータの送信要求を生成し、無線通信Ｉ／Ｆ４６へ出力する。通信制御部６１が生成するデータの送信要求には、先に生成した回答のデータと、ＱＲコードパターン１２からデコードしたアクセス情報と、半導体メモリ４３に記憶されている端末ＩＤ番号５３とが含まれる。無線通信Ｉ／Ｆ４６は、その送信要求を、通信ネットワーク４の基地局３３へ送信する。
【００７４】
通信ネットワーク４の基地局３３へ送信されたこのカメラ付きの携帯電話端末２の送信要求は、ＡＴＭ通信網３２を介してインターネット３１へ送信される。サーバ装置３の通信Ｉ／Ｆ７４は、インターネット３１から、この自分宛てのデータ送信要求を受信する。
【００７５】
通信Ｉ／Ｆ７４がインターネット３１からデータの送信要求を受信すると、データ送出制御部６６は、その要求を解釈する。このＱＲコードパターン１２の読み取りに基づくデータの送信要求には、ＱＲコードパターン１２にコード化したアクセス情報が含まれる。データ送出制御部６６は、記憶デバイス７３に記憶されている対応テーブル７９を参照し、対応テーブル７９において受信したアクセス情報に対応する正解の表示データ７８を特定する。データ送出制御部６６は、その正解の表示データ７８を記憶デバイス７３から読み込み、通信Ｉ／Ｆ７４に供給する。通信Ｉ／Ｆ７４は、正解の表示データ７８をインターネット３１へ送出する。
【００７６】
また、送信要求に係る正解の表示データ７８を通信Ｉ／Ｆ７４に供給した後、データ送出制御部６６は、通信Ｉ／Ｆ７４が受信したデータの送信要求を履歴管理部６７へ供給する。履歴管理部６７は、供給されたデータの送信要求を、端末ＩＤ番号、およびその供給されたタイマ７６の計測時刻とともに、履歴データ６９として記憶デバイス７３に記憶させる。
【００７７】
図９は、図６中の記憶デバイス７３に記憶される履歴データ６９のデータ構造の説明図である。記憶デバイス７３において、各データの送信要求に含まれる、端末ＩＤ番号５３、アクセス情報および選択された回答などの受信データは、タイマ７６の計測時刻とともに、履歴データ６９の１つのレコードとして記憶される。履歴データ６９は、このデータの送信要求毎のレコードの集合体のデータである。
【００７８】
インターネット３１へ送出された正解の表示データ７８は、ＡＴＭ通信網３２、基地局３３を介して、データの送信を要求した生徒のカメラ付きの携帯電話端末２の無線通信Ｉ／Ｆ４６へ送信される。通信制御部６１は、無線通信Ｉ／Ｆ４６が受信した正解の表示データ７８を表示制御部６３へ供給する。表示制御部６３は、無線通信Ｉ／Ｆ４６が受信した正解の表示データ７８を、液晶デバイス４９へ出力する。液晶デバイス４９は、正解の表示データ７８に基づいて正解を表示する。図１０は、図６中の液晶デバイス４９に表示される正解の表示画面の一例を示す説明図である。図１０では、図８の課題において、１番の選択肢が正解であることが説明されている。
【００７９】
カメラ付きの携帯電話端末２に表示される正解に基づいて、生徒は、出題された課題の答えを知ることができる。また、誤った選択肢を選択した生徒は、その回答を見ることで自分の誤りを知り、もう一度、史跡２１そのもの、史跡２１の案内板２２に記載されている事柄などを学習しなおし、その正解を納得することができる。史跡２１に関する理解を深めることができる。
【００８０】
１つ目の史跡２１において課題に取り組み終えた生徒は、次の史跡２１へ移動する。そして、次の史跡２１においても、自分の学校の校章と、その横にあるＱＲコードパターン１２とを見つける。生徒は、持参するカメラ付きの携帯電話端末２を用いて、そのＱＲコードパターン１２にコード化されているアクセス情報および所定の課題の表示データをデコードし、その所定の課題に取り組む。
【００８１】
表示制御部６３が入力キー４８からの入力指示に基づいて所定の課題に対応する回答を生成すると、通信制御部６１は、新たにデコードされたアクセス情報に含まれるサーバ装置３のＵＲＬを指定して、無線通信Ｉ／Ｆ４６に、データの送信要求を送信させる。このデータの送信要求には、この２つ目の史跡２１におれる回答のデータと、２つ目の史跡２１に設置されたＱＲコードパターン１２からデコードしたアクセス情報と、半導体メモリ４３に記憶されている端末ＩＤ番号５３とが含まれる。
【００８２】
無線通信Ｉ／Ｆ４６から通信ネットワーク４の基地局３３へ送信された送信要求は、ＡＴＭ通信網３２およびインターネット３１を介して、サーバ装置３の通信Ｉ／Ｆ７４に受信される。データ送出制御部６６は、通信Ｉ／Ｆ７４が受信したデータの送信要求に含まれるアクセス情報を用いて、対応テーブル７９においてそのアクセス情報に対応付けられている正解の表示データ７８を特定する。データ送出制御部６６は、その正解の表示データ７８を記憶デバイス７３から読み込み、通信Ｉ／Ｆ７４からカメラ付きの携帯電話端末２の無線通信Ｉ／Ｆ４６へ送信させる。
【００８３】
無線通信Ｉ／Ｆ４６がサーバ装置３からの正解の表示データ７８を受信すると、表示制御部６３は、その正解の表示データ７８を、液晶デバイス４９へ出力する。液晶デバイス４９は、正解の表示データ７８に基づき正解を表示する。生徒は、このカメラ付きの携帯電話端末２に表示に基づいて、課題の正解を知ることができる。
【００８４】
カメラ付きの携帯電話端末２を持参する生徒は、上述するように各史跡２１において所定の課題に取り組みながら、観光地の複数の史跡２１を巡る。これにより、図４のような観光地にある複数の史跡２１について、単に観光ガイドについて巡る場合に比べて、観光地にある複数の史跡２１について深く理解することとなる。
【００８５】
また、学校の生徒が各史跡２１において設定された課題に取り組みながら複数の史跡２１を巡ることで、履歴管理部６７により、サーバ装置３の記憶デバイス７３には、図９に示すように、カメラ付きの携帯電話端末２によるデータの送信要求が履歴データ６９として蓄積される。
【００８６】
サーバ装置３の履歴管理部６７は、この履歴データ６９の蓄積処理とともに、その履歴データ６９に基づいて各種の処理を実施する。
【００８７】
履歴管理部６７は、まず、タイマ７６の計測する時刻が予め設定された所定の終了時刻を経過したか否かを監視する。なお、この履歴管理部６７が監視に使用する終了時刻は、生徒がその観光地の複数の史跡２１を巡る終了時刻であればよい。履歴管理部６７が監視に使用する終了時刻は、この他にもたとえば、その史跡２１を巡る終了時刻の３０分前などの時刻や、開始時刻から所定の時間（たとえば４時間など）が経過する時刻などであってもよい。
【００８８】
タイマ７６の計測する時刻が予め設定された所定の終了時刻を経過した場合、履歴管理部６７は、予定されていたすべての史跡２１を巡り終えた生徒のグループを特定する。履歴管理部６７は、具体的には、履歴データ６９から端末ＩＤ番号毎にレコードを抽出し、その抽出したレコード内に予定されていたすべての史跡２１についての複数のアクセス情報が含まれているか否かを判断する。そして、履歴管理部６７は、抽出したレコード内にすべてのアクセス情報が含まれている端末ＩＤ番号に対応するグループは、すべての史跡２１を巡り終えている生徒のグループとして特定する。
【００８９】
履歴データ６９に含まれるすべての端末ＩＤ番号について上述した処理を完了して、すべての史跡２１を巡り終えている生徒のグループを特定すると、履歴管理部６７は、その特定したグループを所定の成績順に並べて表示する表示データを生成する。なお、この成績順は、たとえば最後の史跡２１についての送信要求の時刻の早い順であっても、その時刻に正誤数に応じた時間を加減算した時刻において時刻の早い順であってもよい。
【００９０】
履歴管理部６７は、生成した表示データをデータ送出制御部６６へ供給する。データ送出制御部６６は、学校の引率の先生が使用する携帯電話端末２Ａを送信先に指定し、通信Ｉ／Ｆ７４に表示データを送信させる。通信Ｉ／Ｆ７４は、この表示データをインターネット３１を介して、学校の引率の先生が使用する携帯電話端末２Ａの無線通信Ｉ／Ｆ４６へ送信する。通信制御部６１は、無線通信Ｉ／Ｆ４６が受信したこの表示データを表示制御部６３へ供給する。表示制御部６３は、無線通信Ｉ／Ｆ４６が受信した正解の表示データ７８を、液晶デバイス４９へ出力する。液晶デバイス４９には、予定されていたすべての史跡２１を巡り終えた生徒のグループのリストが成績順に表示される。
【００９１】
図１１は、先生が使用する携帯電話端末２Ａの液晶デバイス４９に表示される成績の表示画面の一例を示す説明図である。図１１の画面では、成績が良いものから順番に上から下に、各生徒のグループが使用するカメラ付きの携帯電話端末２の端末ＩＤ番号５３が並べて表示される。所定の課題の消化に伴い得られる各グループのアクセス履歴に基づいて、携帯電話端末２Ａの液晶デバイス４９には、予定されていたすべての史跡２１を巡り終えた生徒のグループのリストが成績順に表示される。
【００９２】
この表示に基づいて、先生は、所定の終了時刻において予定されていたすべての史跡２１を巡り終えた生徒のグループを知ることができる。また、その巡り終えた生徒のグループの成績を知ることができる。
【００９３】
また、タイマ７６の計測する時刻が予め設定された所定の終了時刻を経過した場合、履歴管理部６７は、予定されていたすべての史跡２１を巡り終えていない生徒のグループを特定する。履歴管理部６７は、具体的には、履歴データ６９から端末ＩＤ番号毎にレコードを抽出し、その抽出したレコード内に予定されていたすべての史跡２１についての複数のアクセス情報が含まれているか否かを判断する。そして、履歴管理部６７は、抽出したレコード内にすべての史跡２１に対応するアクセス情報が含まれていない端末ＩＤ番号に対応するグループは、すべての史跡２１を巡り終えていない生徒のグループとして特定する。
【００９４】
履歴データ６９に含まれるすべての端末ＩＤ番号について上述した処理を完了して、すべての史跡２１を巡り終えていない生徒のグループを特定すると、履歴管理部６７は、そのグループに関する情報を表示する表示データを生成する。
【００９５】
このグループに関する情報には、そのグループを特定する情報が含まれる。グループを特定する情報としては、たとえばそのグループが使用するカメラ付きの携帯電話端末２の端末ＩＤ番号５３や、サーバ装置３の記憶デバイス７３に予め端末ＩＤ番号５３とグループ名との対応関係を記憶させておき、その対応関係に基づいて特定されるグループ名であればよい。また、表示されるグループに関する情報には、その端末ＩＤ番号を含むすべてのレコード（アクセス履歴）について、そのレコード（アクセス履歴）に含まれる時刻の順番にしたがって、史跡２１の名称とそれぞれの通過時刻とが表示される。
【００９６】
履歴管理部６７は、生成した表示データをデータ送出制御部６６へ供給する。データ送出制御部６６は、学校の引率の先生が使用する携帯電話端末２Ａを送信先に指定し、通信Ｉ／Ｆ７４に表示データを送信させる。この表示データは、インターネット３１を介して、学校の引率の先生が使用する携帯電話端末２Ａの無線通信Ｉ／Ｆ４６へ送信される。通信制御部６１は、無線通信Ｉ／Ｆ４６が受信したこの表示データを表示制御部６３へ供給する。表示制御部６３は、その正解の表示データ７８を、液晶デバイス４９へ出力する。液晶デバイス４９には、所定の終了時刻において予定されていたすべての史跡２１を巡り終えていない生徒のグループに関する情報が表示される。
【００９７】
図１２は、先生が使用する携帯電話端末２Ａの液晶デバイス４９に表示される、終了時刻において迷子となっている生徒を示す表示画面の一例を示す説明図である。図１２では、一番上に迷子となっている生徒のグループが使用するカメラ付きの携帯電話端末２の端末ＩＤ番号５３が表示されている。また、その下には、その生徒のグループが既に回っている史跡２１とその通過時刻とが、上から下に通過順に並べて表示されている。先生が使用する携帯電話端末２Ａの液晶デバイス４９には、所定の課題の消化に伴い得られる各グループのアクセス履歴に基づいて、予定されていたすべての史跡２１を巡り終えていない生徒のグループに関して、その複数の史跡２１の通過状況が表示される。
【００９８】
この携帯電話端末２Ａの表示に基づいて、先生は、所定の終了時刻において予定されていたすべての史跡２１を巡り終えていない、迷子となっている生徒のグループを知ることができる。また、その迷子となっているグループがどの史跡２１まで巡っているのか、各史跡２１を何時訪れているのかを知ることができる。つまり、迷子となっている生徒のグループが既に通過した経路に関する情報の表示に基づいて、その迷子となっている生徒のグループの行動を把握することができる。
【００９９】
その結果、先生は、所定の終了時刻において予定されていたすべての史跡２１を巡り終えていない生徒を把握し、携帯電話端末２Ａを使用してその生徒と連絡をとったり、そのグループがどこまで巡っているかを把握したりした上で、探しに行くことができる。そのため、先生は、観光地の全域ではなく、たとえばそのグループが最後に訪れたことが判っている史跡２１とその次の史跡２１との間の区間などの限られた地域について重点的に捜索し、高い確率で且つ短時間で迷子となっている生徒のグループを発見することができる。
【０１００】
また、履歴管理部６７は、データの送信要求のすべてを履歴データとして蓄積し、その後、履歴データに含まれる端末ＩＤ番号に基づいて迷子となっている端末を特定している。そのため、たとえば、あるグループの生徒がカメラ付きの携帯電話端末２を用いてサーバ装置３に複数回アクセスしてきた場合、その複数回のアクセスが、迷子となっている生徒の情報として、先生が使用する携帯電話端末２Ａに表示される。たとえば生徒が、迷った後に元の場所に戻ってサーバ装置３にアクセスしたり、迷っている途中において他の史跡２１に設定されたＱＲコードパターン１２をデコードしてサーバ装置３にアクセスしたりした場合には、それらの成績に関係しないアクセスについても、迷子となっている生徒の情報として提供される。したがって、先生は、所定の終了時刻において予定されていたすべての史跡２１を巡り終えていない生徒に関する情報として、最新の情報を得ることができる。
【０１０１】
履歴管理部６７は、また、周期的に履歴データ６９を用いて、カメラ付きの携帯電話端末２の端末ＩＤ番号毎に、その最新の時刻から所定の時間（たとえば３０分や１時間）が経過したか否かを調べる。そして、あるカメラ付きの携帯電話端末２についてその最新の時刻から所定の時間が経過した場合、履歴管理部６７は、そのカメラ付きの携帯電話端末２を使用するグループに関する情報を表示する表示データを生成する。
【０１０２】
このグループに関する情報には、そのグループを特定する情報が含まれる。また、表示されるグループに関する情報には、その端末ＩＤ番号を含むすべてのレコード（アクセス履歴）について、そのレコード（アクセス履歴）に含まれる時刻の順番にしたがって、史跡２１の名称とそれぞれの通過時刻とが表示される。
【０１０３】
履歴管理部６７は、生成した表示データをデータ送出制御部６６へ供給する。データ送出制御部６６は、学校の引率の先生が使用する携帯電話端末２Ａを送信先に指定し、通信Ｉ／Ｆ７４に表示データを送信させる。通信Ｉ／Ｆ７４は、この表示データをインターネット３１を介して、先生が使用する携帯電話端末２Ａの無線通信Ｉ／Ｆ４６へ送信する。通信制御部６１は、無線通信Ｉ／Ｆ４６が受信したこの表示データを表示制御部６３へ供給する。表示制御部６３は、無線通信Ｉ／Ｆ４６が受信した正解の表示データ７８を、液晶デバイス４９へ出力する。液晶デバイス４９には、予定されているすべての史跡２１を巡る途中において迷子となっている生徒のグループに関する情報が表示される。
【０１０４】
図１３は、先生が使用する携帯電話端末２Ａの液晶デバイス４９に表示される、史跡２１を巡る途中において迷子となっている生徒を示す表示画面の一例を示す説明図である。図１３の表示画面では、一番上に迷子となっている生徒のグループが使用するカメラ付きの携帯電話端末２の端末ＩＤ番号５３が表示されている。また、その下には、その生徒が既に回った史跡２１とその通過時刻とが、上から下に通過順に並べて表示されている。先生が使用する携帯電話端末２Ａの液晶デバイス４９には、所定の課題の消化に伴い得られる各グループのアクセス履歴に基づいて、予定されているすべての史跡２１を巡る途中において迷子となっている生徒のグループに関して、その迷子となるまでの複数の史跡２１の通過状況が表示される。
【０１０５】
この携帯電話端末２Ａの表示に基づいて、先生は、予定されているすべての史跡２１を巡る途中において迷子となっている生徒のグループを知ることができる。また、その迷子となっているグループがどの史跡２１まで巡っているのか、各史跡２１を何時訪れているのかを知ることができる。つまり、迷子となっている生徒のグループが既に通過した経路に関する情報の表示に基づいて、その迷子となっている生徒のグループの行動を把握することができる。
【０１０６】
その結果、先生は、予定されているすべての史跡２１を巡る途中において迷子となっている生徒を把握し、携帯電話端末２Ａを使用してその生徒と連絡をとったり、そのグループがどこまで巡っているかを把握したりした上で、探しに行くことができる。そのため、先生は、観光地の全域ではなく、たとえばそのグループが最後に訪れたことが判っている史跡２１とその次の史跡２１との間の区間などについて重点的に捜索し、高い確率で且つ短時間で迷子となっている生徒のグループを発見することができる。
【０１０７】
また、履歴管理部６７は、データの送信要求のすべてを履歴データとして蓄積し、その後、履歴データに含まれる端末ＩＤ番号に基づいて迷子となっている端末を特定している。そのため、たとえば、あるグループの生徒がカメラ付きの携帯電話端末２を用いてサーバ装置３に複数回アクセスしてきた場合、その複数回のアクセスが、迷子となっている生徒の情報として、先生の携帯電話端末２Ａに表示される。たとえば生徒が、迷った後に元の場所に戻ってサーバ装置３にアクセスしたり、迷っている途中において他の史跡２１に設定されたＱＲコードパターン１２をデコードしてサーバ装置３にアクセスしたりした場合には、それらの成績に関係しないアクセスについても、迷子となっている生徒の情報として提供される。したがって、先生は、史跡を巡る途中において迷っている生徒に関する情報として、最新の情報を得ることができる。
【０１０８】
以上のように、この実施の形態１に係る研修システムは、観光地の複数の史跡２１に所定の課題の表示データをコード化したＱＲコードパターン１２を設置し、そのＱＲコードパターン１２を各生徒のグループが使用するカメラ付きの携帯電話端末２にデコードさせることで、各グループに課題を提供する。しかも、ＱＲコードパターン１２にはアクセス情報をコード化し、このアクセス情報を用いてサーバ装置３にアクセスさせることで、その所定の課題の回答を提供する。したがって、生徒は、与えられた課題を解くために、各史跡２１に到着すればかならずサーバ装置３へアクセスすることになる。生徒は、面倒がらずにサーバ装置３へアクセスすることになる。
【０１０９】
また、サーバ装置３は、カメラ付きの携帯電話端末２によるアクセスの履歴を蓄積し、その蓄積したアクセス履歴に基づいて、複数の生徒のグループの成績順のリストや迷子となっている生徒のグループの過去のアクセス履歴を、先生が使用する携帯電話端末２Ａに表示させる。その結果、サーバ装置３の使用者や先生は、生徒による史跡２１の通過を、生徒に面倒がらせることなく把握し、生徒の行動を把握することができる。
【０１１０】
実施の形態２．
本発明の実施の形態２に係る研修システムは、街中に設定した複数のチェックポイントを順番にまわるゲームを用いた研修に使用可能なものである。ゲームの競技者は、図１４に示すようなコマ図にしたがって、所定の時間内にスタート地点からゴール地点までに移動し、且つ、その経路の途中に設定されたチェックポイントを所定の順番で通過することが要求される。図１４は、街中に設定した複数のチェックポイントをまわるゲームで使用するコマ図シートの一例を示す図である。このようなゲームを用いた研修は、新入社員の状況判断能力や現場を見る眼を確かめる研修として好適に使用することができる。
【０１１１】
図１５は、本発明の実施の形態２に係る研修システムにおいて使用する、ＱＲコードを有するシート１を示す正面図である。ＱＲコードを有するシート１は、たとえば塩化ビニル製の白色のマット材１１の表面に、二次元コードパターンとしてのＱＲコードパターン１２と、新入社員などが認識可能なマーク９１とが並べて印刷される。図１５では、星の図案が、新入社員などが認識可能なマーク９１として印刷されている。このＱＲコードを有するシート１は、コマ図シートにしたがって移動する経路の途中に設定された複数のチェックポイントに設定される。ＱＲコードを有するシート１は、たとえば図示外のラミネートフィルムにより被覆され、そのラミネートフィルムに開設された孔に通した紐でたとえばチェックポイント近くの電柱などに設置される。ＱＲコードパターン１２には、アクセス情報がコード化される。ＱＲコードパターン１２にコード化されるアクセス情報は、シート１毎に異なる。
【０１１２】
図１６は、本発明の実施の形態２に係る研修システムにおいて、携帯電話端末２，２Ａとサーバ装置３とに実現される機能を示す機能ブロック図である。カメラ付きの携帯電話端末２は、各新入社員が使用するものである。携帯電話端末２Ａは、研修の管理者が使用するものである。
【０１１３】
サーバ装置３の記憶デバイス７３は、複数の通過地点の通過順序をカメラ付きの携帯電話端末２に表示させる表示データとしての複数の通過順の表示データ１０１と、対応テーブル１０２と、を記憶する。
【０１１４】
通過順の表示データ１０１は、たとえば通過順を示す番号を表示する表示データである。そして、複数の表示データ１０１による番号は、たとえば１番から１つずつ大きくなる番号の組合せである。
【０１１５】
対応テーブル１０２は、ＱＲコードパターン１２にコード化される複数のアクセス情報と、複数の通過順の表示データ１０１との対応関係を記憶するテーブルである。対応テーブル１０２において、複数の通過順の表示データ１０１は、コマ図にしたがって移動する経路において通過する順番にしたがって、番号の小さい順に対応付けられる。したがって、コマ図にしたがって正しく移動した場合、複数の表示データ１０１による番号は、１番から１つずつ大きくなる。
【０１１６】
実施の形態２に係る研修システムにおいて上述した構成以外の構成要素は、実施の形態１の同名の構成要素と同じ機能を有するものであり、実施の形態１の同一の符号を付してその説明を省略する。
【０１１７】
次に、実施の形態２に係る研修システムの動作を説明する。
【０１１８】
コマ図シートおよびカメラ付きの携帯電話端末２を渡された新入社員は、コマ図シートに記載されるコマ図にしたがって移動する。そして、その移動経路の途中において、チェックポイントに設定された星の図案のマーク９１と、ＱＲコードパターン１２とを発見すると、持参するカメラ付きの携帯電話端末２を用いて、そのＱＲコードパターン１２を読み取る。
【０１１９】
カメラ付きの携帯電話端末２のデコーダ６２は、ＣＣＤカメラ４７が撮像した画像の中のＱＲコードパターン１２を認識し、このＱＲコードにコード化されていたアクセス情報（たとえばＵＲＬ）を復号する。デコーダ６２は、復号したアクセス情報を表示制御部６３へ供給する。
【０１２０】
ＱＲコードパターン１２からデコードされたサーバ装置３へのアクセス情報が供給されると、表示制御部６３は、そのアクセス情報に含まれるサーバ装置３のＵＲＬ（サーバ装置３内のコンテンツを指すＵＲＬ）を指定して、通信制御部６１にデータの取得を指示する。通信制御部６１は、サーバ装置３を送信先に指定したデータの送信要求を生成し、無線通信Ｉ／Ｆ４６へ出力する。通信制御部６１が生成するデータの送信要求には、ＱＲコードパターン１２からデコードしたアクセス情報と、半導体メモリ４３に記憶されている端末ＩＤ番号５３とが含まれる。無線通信Ｉ／Ｆ４６は、その送信要求を、通信ネットワーク４の基地局３３へ送信する。
【０１２１】
無線通信Ｉ／Ｆ４６が基地局３３へ送信した送信要求は、基地局３３、ＡＴＭ通信網３２およびインターネット３１を介して、サーバ装置３の通信Ｉ／Ｆ７４により受信される。通信Ｉ／Ｆ７４がデータの送信要求を受信すると、サーバ装置３のデータ送出制御部６６は、対応テーブル１０２を参照し、そのデータの送信要求に含まれるアクセス情報に対応する通過順の表示データ１０１を特定する。データ送出制御部６６は、特定した通過順の表示データ１０１を記憶デバイス７３から読み込み、通信Ｉ／Ｆ７４に送信させる。
【０１２２】
また、送信要求に係る通過順の表示データ１０１を通信Ｉ／Ｆ７４に送信させた後、データ送出制御部６６は、通信Ｉ／Ｆ７４が受信したデータの送信要求を履歴管理部６７へ供給する。履歴管理部６７は、供給されたデータの送信要求を、端末ＩＤ番号、およびその供給されたタイマ７６の計測時刻とともに、履歴データ６９として記憶デバイス７３に記憶させる。
【０１２３】
サーバ装置３の通信Ｉ／Ｆ７４によりインターネット３１へ送出された通過順の表示データ１０１は、ＡＴＭ通信網３２、基地局３３を介して、データの送信要求をした新入社員が使用するカメラ付きの携帯電話端末２の無線通信Ｉ／Ｆ４６へ送信される。カメラ付きの携帯電話端末２の通信制御部６１は、無線通信Ｉ／Ｆ４６が受信した通過順の表示データ１０１を表示制御部６３へ供給する。表示制御部６３は、無線通信Ｉ／Ｆ４６が受信した通過順の表示データ１０１を、液晶デバイス４９へ出力する。液晶デバイス４９は、通過順の表示データ１０１を表示する。これにより、新入社員が使用するカメラ付きの携帯電話端末２の液晶デバイス４９には、それで読み取ったＱＲコードパターン１２にコード化されたアクセス情報に予め対応付けられている通過順が表示される。
【０１２４】
カメラ付きの携帯電話端末２に表示される通過順の番号に基づいて、新入社員は、複数のチェックポイントを正しい順番で通過しているか否かを確認することができる。そして、複数のチェックポイントを正しい順番で通過していることを確認した新入社員は、コマ図シートにしたがって、コマを進めてゴールまで移動する。また、途中のチェックポイントを抜かしてしまったことを確認した新入社員は、たとえばコマ図シートにしたがってコマを戻り、その抜かしてしまったチェックポイントまで戻る。このように、新入社員は、各チェックポイントにおいて通過順を確認することで、複数のチェックポイントを正しい順番で通過するように、スタート地点からゴール地点まで移動することができる。
【０１２５】
また、新入社員が各チェックポイントにおいて通過順を確認しながら移動することで、サーバ装置３の記憶デバイス７３には、新入社員が使用するカメラ付きの携帯電話端末２によるデータの送信要求が履歴データ６９として蓄積される。
【０１２６】
サーバ装置３の履歴管理部６７は、このような履歴データ６９の蓄積処理とともに、その履歴データ６９に基づいて各種の処理を実施する。
【０１２７】
履歴管理部６７は、まず、タイマ７６の計測する時刻が予め設定された所定の終了時刻を経過したか否かを監視する。そして、タイマ７６の計測する時刻が予め設定された所定の終了時刻を経過した場合、履歴管理部６７は、予定されていたすべてのチェックポイントを巡り終えた新入社員を特定し、その特定した新入社員を所定の成績順に並べて表示する表示データを生成する。履歴管理部６７は、生成した表示データをデータ送出制御部６６へ供給する。データ送出制御部６６は、研修の管理者が使用する携帯電話端末２Ａを送信先に指定し、通信Ｉ／Ｆ７４に、履歴管理部６７により生成された表示データを送信させる。
【０１２８】
携帯電話端末２Ａの通信制御部６１は、無線通信Ｉ／Ｆ４６が受信したこの表示データを表示制御部６３へ供給する。表示制御部６３は、無線通信Ｉ／Ｆ４６が受信した表示データ７８を、液晶デバイス４９へ出力する。液晶デバイス４９には、予定されていたすべてのチェックポイントを巡り終えた新入社員のリストが成績順に表示される。
【０１２９】
これにより、携帯電話端末２Ａの液晶デバイス４９には、通過順を確認するための各新入社員によるアクセス履歴に基づいて、すべてのチェックポイントを通過した新入社員のリストが成績順に表示される。
【０１３０】
また、履歴管理部６７は、タイマ７６の計測する時刻が予め設定された所定の終了時刻を経過した場合、すべてのチェックポイントを巡り終えていない新入社員を特定し、その新入社員に関する情報を表示する表示データを生成し、データ送出制御部６６へ供給する。データ送出制御部６６は、研修の管理者が使用する携帯電話端末２Ａを送信先に指定し、通信Ｉ／Ｆ７４に、履歴管理部６７により生成されたこの表示データを送信させる。
【０１３１】
携帯電話端末２Ａの通信制御部６１は、無線通信Ｉ／Ｆ４６が受信したこの表示データを表示制御部６３へ供給する。表示制御部６３は、無線通信Ｉ／Ｆ４６が受信した表示データ７８を、液晶デバイス４９へ出力する。液晶デバイス４９には、予定されていたすべてのチェックポイントを巡り終えていない新入社員に関する情報が表示される。
【０１３２】
この終了時刻においてすべてのチェックポイントを巡り終えていない新入社員に関する情報には、その新入社員を特定する情報が含まれる。また、表示される新入社員に関する情報には、その端末ＩＤ番号を含むすべてのレコードについて、そのレコードに含まれる時刻の順番にしたがって、チェックポイントとそれぞれの通過時刻とが表示される。これにより、携帯電話端末２Ａの液晶デバイス４９には、通過順を確認するための各新入社員のアクセス履歴に基づいて、終了時刻においてすべてのチェックポイントを巡り終えていない新入社員に関して、その複数のチェックポイントの通過状況が表示される。
【０１３３】
また、履歴管理部６７は、周期的に履歴データ６９を用いて、カメラ付き携帯電話端末２の端末ＩＤ番号毎に、その最新の時刻から所定の時間（たとえば３０分や１時間）が経過したか否かを調べる。そして、あるカメラ付き携帯電話端末２についてその最新の時刻から所定の時間が経過した場合、履歴管理部６７は、そのカメラ付き携帯電話端末２を使用する新入社員に関する情報を表示する表示データを生成し、データ送出制御部６６へ供給する。データ送出制御部６６は、研修の管理者が使用する携帯電話端末２Ａを送信先に指定し、通信Ｉ／Ｆ７４に、履歴管理部６７により生成されたこの表示データを送信させる。
【０１３４】
携帯電話端末２Ａの通信制御部６１は、無線通信Ｉ／Ｆ４６が受信したこの表示データを表示制御部６３へ供給する。表示制御部６３は、無線通信Ｉ／Ｆ４６が受信した表示データ７８を、液晶デバイス４９へ出力する。液晶デバイス４９には、すべてのチェックポイントを巡る途中において迷子となっている新入社員に関する情報が表示される。
【０１３５】
すべてのチェックポイントを巡る途中において迷子となっている新入社員に関する情報には、その新入社員を特定する情報が含まれる。また、表示される新入社員に関する情報には、その端末ＩＤ番号を含むすべてのレコードについて、そのレコードに含まれる時刻の順番にしたがって、チェックポイントとそれぞれの通過時刻とが表示される。これにより、携帯電話端末２Ａの液晶デバイス４９には、通過順を確認するための各新入社員のアクセス履歴に基づいて、すべてのチェックポイントを巡る途中において迷子となっている新入社員に関して、その迷子となるまでの複数のチェックポイントの通過状況が表示される。
【０１３６】
その結果、研修の管理者は、すべてのチェックポイントを巡る途中において迷子となっている新入社員や、所定の終了時刻においてすべてのチェックポイントを巡り終えていない新入社員を把握し、携帯電話端末２Ａを使用してその新入社員と連絡をとったり、その新入社員がどこまで巡っているかを把握したりした上で、探しに行くことができる。そのため、研修の管理者は、チェックポイントを設定した地域の全域ではなく、たとえばその新入社員が最後に訪れたことが判っているチェックポイントとその次のチェックポイントとの間の区間などについて重点的に捜索し、高い確率で且つ短時間で迷子となっている新入社員を発見することができる。
【０１３７】
また、履歴管理部６７は、データの送信要求のすべてを履歴データとして蓄積し、その後、履歴データに含まれる端末ＩＤ番号に基づいて迷子となっている端末を特定している。そのため、たとえば、ある新入社員がカメラ付きの携帯電話端末２を用いてサーバ装置３に複数回アクセスしてきた場合、その複数回のアクセスが、迷子となっている新入社員の情報として、研修の管理者が使用する携帯電話端末２Ａの液晶デバイス４９に表示される。たとえば新入社員が、迷った後に元の場所に戻ってサーバ装置３にアクセスしたり、迷っている途中において他のチェックポイントに設定されたＱＲコードパターン１２をデコードしてサーバ装置３にアクセスしたりした場合には、それらの成績に関係しないアクセスについても、迷子となっている新入社員の情報として提供される。したがって、研修の管理者は、迷子となっている新入社員に関する情報として、最新の情報を得ることができる。
【０１３８】
なお、実施の形態２では、チェックポイントにおいて、カメラ付きの携帯電話端末２がサーバ装置３へアクセスし、通過順の情報を取得しているが、さらに、実施の形態１のように課題などを取得し、その課題に回答するようにしてもよい。また、実施の形態１のように、通過順の情報の代わりに、課題などを取得し、その課題に回答するようにしてもよい。
【０１３９】
以上のように、この実施の形態２に係る研修システムは、複数のチェックポイントにアクセス情報をコード化したＱＲコードパターン１２を設置し、そのＱＲコードパターン１２を各新入社員が使用するカメラ付きの携帯電話端末２にデコードさせることで、各新入社員に通過順を確認させる。したがって、新入社員は、その通過順を確認するために、各チェックポイントに到着すればかならずサーバ装置３へアクセスすることになる。新入社員は、面倒がらずにサーバ装置３へアクセスすることになる。
【０１４０】
また、サーバ装置３は、新入社員が使用するカメラ付きの携帯電話端末２によるアクセスの履歴を蓄積し、その蓄積したアクセス履歴に基づいて、複数の新入社員の成績順のリストや、迷子となっている新入社員の過去のアクセス履歴を、研修の管理者が使用する携帯電話端末２Ａに表示する。その結果、研修の管理者は、新入社員によるチェックポイントの通過を、新入社員に面倒がらせることなく把握し、新入社員の行動を把握することができる。
【０１４１】
以上の各実施の形態は、本発明の好適な実施の形態の例であるが、本発明はこれに限定されるものではなく、発明の要旨を逸脱しない範囲において種々の変形、変更が可能である。
【０１４２】
たとえば上記実施の形態１では、学校の校章によるマーク１３およびＱＲコードパターン１２を印刷したシート１を史跡２１の近くに設置している。この他にもたとえば、学校の校章およびＱＲコードパターン１２を印刷したシート１は、建造物、店舗、その他の街に現存する物体の近くに設置するようにしてもよい。
【０１４３】
上記実施の形態１では、史跡２１に設置するＱＲコードパターン１２に、課題の表示データと、サーバ装置３へのアクセス情報とをコード化し、このアクセス情報に基づくアクセスに基づいてサーバ装置３は、課題に関する情報として、課題の正解の表示データ７８を送信している。この他にもたとえば、サーバ装置３は、課題に関する情報として、課題を解くヒントなどの表示データを送信するようにしてもよい。また、史跡２１に設置するＱＲコードパターン１２には、サーバ装置３へのアクセス情報をコード化し、このアクセス情報に基づくアクセスに基づいてサーバ装置３が、カメラ付きの携帯電話端末２へ所定の課題を送信するようにしてもよい。
【０１４４】
上記各実施の形態では、サーバ装置３は、アクセス情報と１対１に対応付けられた表示データを、そのアクセス情報に基づくデータの送信要求に応じて送信している。この他にもたとえば、サーバ装置３は、その記憶デバイス７３がアクセス情報およびカメラ付きの携帯電話端末２の端末ＩＤ番号５３毎に異なる複数の表示データを記憶し、データの送信要求に含まれるアクセス情報および端末ＩＤ番号５３に応じた表示データを選択して送信するようにしてもよい。
【０１４５】
これにより、たとえばあるグループの生徒に対する課題やヒントと、他のグループの生徒に対する課題やヒントとが互いに異なるものとすることができ、各生徒は、たとえば近くにいる他のグループの生徒の回答を参照して課題に取り組むことができなくなる。
【０１４６】
上記各実施の形態では、サーバ装置３は、各カメラ付きの携帯電話端末２のデータの送信要求に応じて課題の正解の表示データ７８などを送信している。この他にもたとえば、サーバ装置３は、データの送信要求に含まれるアクセス情報に基づいて、その送信要求がなされた地点を特定し、その地点に応じた最寄りの警察署、緊急連絡先、トイレ、指定休憩所、その他の周辺情報を表示する表示データを、それらの表示データ７８とともに送信するようにしてもよい。
【０１４７】
これにより、たとえば生徒などは、自分がいる地点において何らかの問題が生じた場合に、その周辺情報を参照して、警察署、緊急連絡先、その他に連絡をしたり、トイレや指定休憩所などに立ち寄ったりすることができる。したがって、生徒などは、見知らぬ土地を巡る場合であったとしても、安心して複数の地点を回ることができる。
【０１４８】
上記各実施の形態では、サーバ装置３は、カメラ付きの携帯電話端末２のデータの送信要求に応じて所定の表示データ７８，１０１などを送信している。この他にもたとえば、サーバ装置３は、携帯電話端末２Ａなどからの送信要求に基づいて、その所定の表示データ７８，１０１などを電子メールとしてカメラ付きの携帯電話端末２へ送信するようにしてもよい。
【０１４９】
これにより、カメラ付きの携帯電話端末２は、ＱＲコードパターン１２がデコードできない場合であっても、サーバ装置３から送信される表示データを表示することができる。したがって、生徒などは、たとえばＱＲコードパターン１２が汚れていてそれをデコードすることができない場合であっても、そのＱＲコードパターン１２にコード化されている所定の課題などに取り組むことができる。また、生徒などは、複数の地点を巡ることを中断することなく続けて回ることができる。
【０１５０】
上記各実施の形態では、生徒などは、カメラ付きの携帯電話端末２を使用している。この他にもたとえば、生徒などは、ＱＲコードなどの二次元コードのデコード装置と、サーバ装置３と通信可能な携帯端末とを使用するようにしてもよい。このように二次元コードのデコード装置を使用する場合、ＱＲコードのモデル番号は、１番であっても、３番であっても、４番であってもよい。また、二次元コードには、ＱＲコードの他にも、マイクロＱＲコード、ＰＤＦ４１７方式のコード、ＤａｔａＭａｔｒｉｘ方式のコード、ＭａｘｉＣｏｄｅなどがある。ＱＲコード、ＤａｔａＭａｔｒｉｘ方式のコード、ＭａｘｉＣｏｄｅは、それぞれマトリックスコードの一種である。ＰＤＦ４１７は、スタックドバーコードの一種である。二次元コードのデコード装置は、これらのコードによるパターンをデコードするものであってもよい。
【０１５１】
なお、上記各実施の形態において、表示データ中の端末ＩＤ番号５３の代わりに、グループの識別情報を、端末２の識別情報として使用するようにしてもよい。
【０１５２】
また、上記各実施の形態においては、サーバ装置３がカメラ付きの携帯電話端末２Ａへ表示データを自動的に送信しているが、サーバ装置３が表示データを蓄積しておき、カメラ付きの携帯電話端末２Ａがそのサーバ装置３にアクセスして所定の表示データを取得するようにしてもよい。
【０１５３】
また、上記各実施の形態において、携帯電話端末２Ａの代わりに、カメラ機能のない携帯電話端末、通信機能を有するパーソナルコンピュータなどを使用するようにしてもよい。
【産業上の利用可能性】
【０１５４】
本発明は、修学旅行の生徒、研修生、ゲームの競技者などの行動を管理するために利用することができる。
【図面の簡単な説明】
【０１５５】
【図１】図１は、本発明の実施の形態１に係るＱＲコードを有するシートを示す正面図である。
【図２】図２は、本発明の実施の形態１に係る携帯電話端末、サーバ装置および通信ネットワークを示すシステム構成図である。
【図３】図３は、図１中のＱＲコードを有するシートの設置状態の一例を示す説明図である。
【図４】図４は、実施の形態１に係るＱＲコードを有する複数のシートの設置状態の一例を示す説明図である。
【図５】図５は、図２中の携帯電話端末のハードウェア構成を示すブロック図である。
【図６】図６は、図２の通信システムにおいて実現される機能を示す機能ブロック図である。
【図７】図７は、図２中のサーバ装置のハードウェア構成を示すブロック図である。
【図８】図８は、図６中の液晶デバイスに表示される課題の表示画面の一例を示す説明図である。
【図９】図９は、図６中の記憶デバイスに記憶される履歴データのデータ構造の説明図である。
【図１０】図１０は、図６中の液晶デバイスに表示される正解の表示画面の一例を示す説明図である。
【図１１】図１１は、先生が使用する携帯電話端末の液晶デバイスに表示される成績の表示画面の一例を示す説明図である。
【図１２】図１２は、先生が使用する携帯電話端末の液晶デバイスに表示される、終了時刻において迷子となっている生徒を示す表示画面の一例を示す説明図である。
【図１３】図１３は、先生が使用する携帯電話端末の液晶デバイスに表示される、史跡を巡る途中において迷子となっている生徒を示す表示画面の一例を示す説明図である。
【図１４】図１４は、街中に設定した複数のチェックポイントをまわるゲームで使用するコマ図シートの一例を示す図である。
【図１５】図１５は、本発明の実施の形態２係る研修システムにおいて使用する、ＱＲコードを有するシートを示す正面図である。
【図１６】図１６は、本発明の実施の形態２係る研修システムにおいて、携帯電話端末とサーバ装置とに実現される機能を示す機能ブロック図である。
【符号の説明】
【０１５６】
１  ＱＲコードを有するシート（二次元コードを有するシート）
２  携帯電話端末（携帯端末）
３  サーバ装置
４  通信ネットワーク（ネットワーク）
１２  ＱＲコードパターン（二次元コードパターン）
１３  マーク（課題の出題対象である団体の人が認識可能なマーク）
２１  史跡（街に現存する物体）
６６  データ送出制御部（送信制御手段）
６７  履歴管理部（通過順生成手段、未完端末特定手段、迷子端末特定手段、成績生成手段）
７３  記憶デバイス（表示データ記憶手段、履歴記憶手段）
７４  通信Ｉ／Ｆ（通信手段）
７６  タイマ（時計手段）
７８  正解の表示データ（所定の課題に関連する情報の表示データ）
９１  マーク（所定の団体の人が認識可能なマーク）
１０１  通過順の表示データ
【図１】
2006195787.tif 000003
【図２】
2006195787.tif 000004
【図３】
2006195787.tif 000005
【図４】
2006195787.tif 000006
【図５】
2006195787.tif 000007
【図６】
2006195787.tif 000008
【図７】
2006195787.tif 000009
【図８】
2006195787.tif 000010
【図９】
2006195787.tif 000011
【図１０】
2006195787.tif 000012
【図１１】
2006195787.tif 000013
【図１２】
2006195787.tif 000014
【図１３】
2006195787.tif 000015
【図１４】
2006195787.tif 000016
【図１５】
2006195787.tif 000017
【図１６】
2006195787.tif 000018